(57)【要約】【課題】電子錠が高電圧を印加されても破壊されず、セキュリティレベルが高い電子錠システム、電子錠システムを用いたロッカー、及び、玄関ドアシステムを提供すること。【解決手段】電子錠６の施錠と解錠を制御する電子錠システムにおいて、電子キー１２が、２つの端子１４，１５を備え、電子キー１２を識別するための固有データを記憶する接触式ＩＣチップ１８を有し、電子錠６が、２つの端子１４，１５に接触する２つの接触端子３１，３２を介して電子キー１２からデータを読み取るデータ読み取り手段３７と、データ読み取り手段３７に電力を供給する電力供給手段３８と、２つの接触端子３１，３２とデータ読み取り手段３７とを通信可能に接続しており、２つの接触端子３１，３２に仕様電圧を超える高電圧が印加された場合に、データ読み取り手段３７を２つの接触端子３１，３２から絶縁する絶縁機能付き通信手段３０と、を有する。【選択図】    図５
2013238051.tif 000002
【特許請求の範囲】
【請求項１】
電子キーと、電子錠と、前記電子錠の施錠と解錠を制御する制御手段とを備える電子錠システムにおいて、
前記電子キーは、
２つの端子を備え、前記電子キーを識別するための固有データを記憶する接触式ＩＣチップを有し、
前記電子錠は、
前記２つの端子に接触する２つの接触端子と、
前記２つの接触端子を介して前記電子キーからデータを読み取るデータ読み取り手段と、
前記データ読み取り手段に電力を供給する電力供給手段と、
前記２つの接触端子と、前記データ読み取り手段とを通信可能に接続しており、前記２つの接触端子に仕様電圧を超える高電圧が印加された場合に、前記データ読み取り手段を前記２つの接触端子から絶縁する絶縁機能付き通信手段と、を有する
ことを特徴とする電子錠システム。
【請求項２】
請求項１に記載する電子錠システムにおいて、
少なくとも前記施錠又は前記解錠を行う場合に、過去に使用されていないユニークデータを生成して、前記ユニークデータを、前記接触式ＩＣチップに記憶されている前記固有データと書き換え、新しい固有データとして記憶させる固有データ書換手段を有する
ことを特徴とする電子錠システム。
【請求項３】
請求項１又は請求項２に記載する電子錠システムにおいて、
前記絶縁機能付き通信手段が、
前記２つの接触端子に接続される第１アンテナ部材と、
前記データ読み取り手段に接続され、前記第１アンテナ部材と無線通信を行う第２アンテナ部材とを有し、
前記第１アンテナ部材と前記第２アンテナ部材との間で発生する電磁誘導により、前記２つの接触端子と前記データ読み取り手段との間に電流を流す
ことを特徴とする電子錠システム。
【請求項４】
請求項１乃至請求項３の何れか１つに記載する電子錠システムにおいて、
前記絶縁機能付き通信手段が、
前記データ読み取り手段から電気信号を出力する第１配線上に配設される第１コンデンサと、
前記データ読みとり手段に電気信号を入力する第２配線上に配設される第２コンデンサと、を有する
ことを特徴とする電子錠システム。
【請求項５】
開閉扉を備える複数の間口と、前記開閉扉の各々に設けられる電子錠と、前記電子錠と通信を行う電子キーと、前記電子錠の施錠と解錠を制御する制御手段とを有するを備えるロッカーにおいて、
前記電子キーは、
２つの端子を備え、前記電子キーを識別するための固有データを記憶する接触式ＩＣチップを有し、
前記電子錠は、
前記２つの端子に接触する２つの接触端子と、
前記２つの接触端子を介して前記電子キーからデータを読み取るデータ読み取り手段と、
前記データ読み取り手段に電力を供給する電力供給手段と、
前記２つの接触端子と、前記データ読み取り手段とを通信可能に接続しており、前記２つの接触端子に仕様電圧を超える高電圧が印加された場合に、前記データ読み取り手段を前記２つの接触端子から絶縁する絶縁機能付き通信手段と、を有する
ことを特徴とするロッカー。
【請求項６】
間口枠に玄関ドアが開閉可能に取り付けられたものであって、電子錠と、前記電子錠と通信を行う電子キーと、前記電子錠の施錠と解錠を制御する制御手段とを有するを備える玄関ドアシステムにおいて、
前記電子キーは、
２つの端子を備え、前記電子キーを識別するための固有データを記憶する接触式ＩＣチップを有し、
前記電子錠は、
前記２つの端子に接触する２つの接触端子と、
前記２つの接触端子を介して前記電子キーからデータを読み取るデータ読み取り手段と、
前記データ読み取り手段に電力を供給する電力供給手段と、
前記２つの接触端子と、前記データ読み取り手段とを通信可能に接続しており、前記２つの接触端子に仕様電圧を超える高電圧が印加された場合に、前記データ読み取り手段を前記２つの接触端子から絶縁する絶縁機能付き通信手段と、を有する
ことを特徴とする玄関ドアシステム。
【請求項７】
請求項６に記載する玄関ドアシステムにおいて、
前記電子錠が、前記玄関ドアに後付け可能なものであること
を特徴とする玄関ドアシステム。
【発明の詳細な説明】
【技術分野】
【０００１】
本発明は、電子キーにより電子錠の施錠及び解錠を行う電子錠システム、電子錠システムを用いたロッカー、及び、玄関ドアシステムに関する。
【背景技術】
【０００２】
例えば、コインロッカーは、駅、空港、デパート、スーパー、美術館などに設置されている。コインロッカーは、荷物を収納するための間口が多数設けられ、各間口に開閉扉が設けられている。各開閉扉は錠を取り付けられ、鍵を用いて開閉されるようになっている。この錠は、硬貨がコインロッカーに投入されると、鍵の操作が許可される。よって、誰でも、硬貨をコインロッカーに投入し、コインロッカーのボックスに手荷物を入れて開閉扉を施錠すれば、手荷物をコインロッカーに保管することができる。
【０００３】
従来より、コインロッカーの錠には、メカニカルな錠が用いられている。メカニカルな錠は、錠に設けられた鍵穴の形状とメカニカルな鍵の形状が一致することを条件に、施錠と解錠を行えるものである。このようなメカニカルな錠を採用したコインロッカーは、電子的なシステムを必要としないため、安価であるというメリットがある。その反面、メカニカルな錠は、メカニカルな鍵が鍵屋等で数分のうちに簡単に複製されるデメリットがある。そのため、例えば、コインロッカーの鍵を預かったり盗んだ者は、合い鍵を作った後に正規の鍵を何喰わぬ顔で正当な持ち主に返却すれば、誰にもばれることなく合い鍵を保持することができる。これにより、その者は、合い鍵に対応するコインロッカーの開閉扉を自由に開閉し、保管された荷物を盗むことができるようになる。よって、メカニカルな錠を採用するコインロッカーは、荷物の保管の安全性が低く、貴重品の保管に不向きであった。
【０００４】
この点、荷物の保管の安全性を高めるために、メカニカルな錠と比べて認証精度が高い電子錠をコインロッカーに適用することが、考えられる。電子錠は、電子キーに記憶されている固有コードと、電子錠に設けられた電子回路に登録された固有コードが一致することを条件に、施錠と解錠を行うものである。固有コードは、電子錠を製造するメーカーにより管理されている。そのため、第三者は、電子キーの固有コードを読み取って電子キーを複製することが困難である。
【０００５】
また、電子錠を適用したコインロッカーには、解錠操作時に、旧いコードと新しいコードとを含めて固有データを生成し、電子キーに記憶させる機能を、電子錠に持たせたものがある。この技術によれば、解錠する毎に、異なる固有コードが電子キーに記憶されるため、仮に、第三者が固有コードを複製して合い鍵を作成したとしても、合い鍵に記憶された固有コードにより権限が認証されることがない。このようなコインロッカーは、合い鍵を用いてコインロッカーを勝手に開閉することができないため、セキュリティが高い（例えば特許文献１参照。）。
【先行技術文献】
【特許文献】
【０００６】
【特許文献１】特開２００９−２０３４号公報
【発明の概要】
【発明が解決しようとする課題】
【０００７】
しかしながら、従来のコインロッカーは、上記のように認証精度の高い電子錠を採用していない。これは、工具を電子錠の鍵穴に入れて高電圧を印加すると、電子錠の制御回路が高電圧を印加されて簡単に破壊されてしまうからである。電子錠を採用するコインロッカーは、認証精度が高いとはいえ、電子錠自体が破壊された時点で、荷物の保管の安全性を失う。特に、コインロッカーは、不特定多数の者が出入りできる場所に設置されている。そのため、コインロッカーは、第三者によって、鍵穴に高電圧をかけるなどのいたずらをされる蓋然性が、極めて高い。そして、破壊された電子錠は交換する必要があるが、電子錠１個当たりの値段がメカニカルな鍵よりも格段に高い。よって、荷物の管理責任やメンテナンスコストなどの問題のため、コインロッカーは、メカニカルな錠を採用せざるを得なかった。
【０００８】
本発明は、上記問題点を解決するためになされたものであり、電子錠が高電圧を印加されても破壊されず、セキュリティレベルが高い電子錠システム、電子錠システムを用いたロッカー、及び、玄関ドアシステムを提供することを目的とする。
【課題を解決するための手段】
【０００９】
本発明の一態様に係る電子錠システムは、電子キーと、電子錠と、前記電子錠の施錠と解錠を制御する制御手段とを備える電子錠システムにおいて、前記電子キーは、２つの端子を備え、前記電子キーを識別するための固有データを記憶する接触式ＩＣチップを有し、前記電子錠は、前記２つの端子に接触する２つの接触端子と、前記２つの接触端子を介して前記電子キーからデータを読み取るデータ読み取り手段と、前記データ読み取り手段に電力を供給する電力供給手段と、前記２つの接触端子と、前記データ読み取り手段とを通信可能に接続しており、前記２つの接触端子に仕様電圧を超える高電圧が印加された場合に、前記データ読み取り手段を前記２つの接触端子から絶縁する絶縁機能付き通信手段と、を有する。
【００１０】
また、上記電子錠システムは、少なくとも前記施錠又は前記解錠を行う場合に、過去に使用されていないユニークデータを生成して、前記ユニークデータを、前記接触式ＩＣチップに記憶されている前記固有データと書き換え、新しい固有データとして記憶させる固有データ書換手段を有することが好ましい。
【００１１】
また、上記電子錠システムは、前記絶縁機能付き通信手段が、前記２つの接触端子に接続される第１アンテナ部材と、前記データ読み取り手段に接続され、前記第１アンテナ部材と無線通信を行う第２アンテナ部材とを有し、前記第１アンテナ部材と前記第２アンテナ部材との間で発生する電磁誘導により、前記２つの接触端子と前記データ読み取り手段との間に電流を流すことが好ましい。
【００１２】
また、上記電子錠システムは、前記絶縁機能付き通信手段が、前記データ読み取り手段から電気信号を出力する第１配線上に配設される第１コンデンサと、前記データ読みとり手段に電気信号を入力する第２配線上に配設される第２コンデンサと、を有することが好ましい。
【００１３】
本発明の一態様に係るロッカーによれば、開閉扉を備える複数の間口と、前記開閉扉の各々に設けられる電子錠と、前記電子錠と通信を行う電子キーと、前記電子錠の施錠と解錠を制御する制御手段とを有するを備えるロッカーにおいて、前記電子キーは、２つの端子を備え、前記電子キーを識別するための固有データを記憶する接触式ＩＣチップを有し、前記電子錠は、前記２つの端子に接触する２つの接触端子と、前記２つの接触端子を介して前記電子キーからデータを読み取るデータ読み取り手段と、前記データ読み取り手段に電力を供給する電力供給手段と、前記２つの接触端子と、前記データ読み取り手段とを通信可能に接続しており、前記２つの接触端子に仕様電圧を超える高電圧が印加された場合に、前記データ読み取り手段を前記２つの接触端子から絶縁する絶縁機能付き通信手
段と、を有する。
【００１４】
本発明の一態様に係る玄関ドアシステムによれば、間口枠に玄関ドアが開閉可能に取り付けられたものであって、電子錠と、前記電子錠と通信を行う電子キーと、前記電子錠の施錠と解錠を制御する制御手段とを有するを備える玄関ドアシステムにおいて、前記電子キーは、２つの端子を備え、前記電子キーを識別するための固有データを記憶する接触式ＩＣチップを有し、前記電子錠は、前記２つの端子に接触する２つの接触端子と、前記２つの接触端子を介して前記電子キーからデータを読み取るデータ読み取り手段と、前記データ読み取り手段に電力を供給する電力供給手段と、前記２つの接触端子と、前記データ読み取り手段とを通信可能に接続しており、前記２つの接触端子に仕様電圧を超える高電圧が印加された場合に、前記データ読み取り手段を前記２つの接触端子から絶縁する絶縁機能付き通信手段と、を有する。
【００１５】
上記玄関ドアシステムは、前記電子錠が、前記玄関ドアに後付け可能なものであることが好ましい。
【発明の効果】
【００１６】
上記態様の電子錠システムは、例えば、２つの接触端子に工具を接触させて仕様電圧を超える高電圧が２つの接触端子に印加された場合、絶縁機能付き通信手段がデータ読み取り手段を絶縁する。そのため、データ読み取り手段は、２つの接触端子に高電圧が印加されても、高電圧を印加されず、破壊されない。よって、上記態様の電気錠システムによれば、電子錠が高電圧を印加されても破壊されず、セキュリティレベルが高い。
【００１７】
また、上記構成の電子錠システムは、少なくとも施錠又は解錠を行う場合に、過去に使用されていないユニークデータを生成し、その生成したユニークデータを、接触式ＩＣチップに記憶されている既存の固有データと書き換え、新しい固有データとして接触式ＩＣチップに記憶させる。そのため、電子キーは、施錠又は解錠する度に異なる固有データが接触式ＩＣチップに記憶される。よって、上記構成の電子錠システムによれば、固有データをコピーして電子キーの合い鍵が作られたとしても、その合い鍵を用いて電子錠を解錠又は施錠することができないので、電子錠システムが適用されるコインロッカー等のセキュリティ機能を高めることができる。
【００１８】
また、上記構成の電子錠システムは、例えば、２つの接触端子に工具を接触させて仕様電圧を超える高電圧が２つの接触端子に印加された場合、第１アンテナ部材に電流が流れるだけで、第２アンテナ部材に電流が殆ど流れない。よって、データ読み取り手段は、２つの接触端子に高電圧が印加されても高電流が流れず、電気的に破壊されない。
【００１９】
また、上記構成の電子錠システムは、例えば、２つの接触端子に工具を接触させて仕様電圧を超える高電圧が２つの接触端子に印加された場合、第１コンデンサと第２コンデンサに電荷が蓄えられ、データ読み取り手段に高電圧が印加されない。よって、データ読み取り手段は、２つの接触端子に高電圧が印加されても高電圧が印加されず、電気的に破壊されない。
【００２０】
上記態様のロッカーは、不特定多数の者が自由に出入りする場所に設置され、電子錠がいたずらをされる蓋然性が高い。しかし、上記態様のロッカーは、例えば、２つの接触端子に工具を接触させて仕様電圧を超える高電圧が２つの接触端子に印加された場合、絶縁機能付き通信手段がデータ読み取り手段を絶縁する。そのため、データ読み取り手段は、２つの接触端子に高電圧が印加されても、高電圧を印加されず、破壊されない。よって、上記態様のロッカーによれば、電子錠が高電圧を印加されても破壊されず、荷物を保管するセキュリティレベルが高い。
【００２１】
上記態様の玄関ドアシステムは、例えば、家などに不正侵入しようとする不審者が、２つの接触端子に工具を接触させて仕様電圧を超える高電圧が２つの接触端子に印加された場合、絶縁機能付き通信手段がデータ読み取り手段を絶縁する。そのため、データ読み取り手段は、２つの接触端子に高電圧が印加されても、高電圧を印加されず、破壊されない。よって、上記態様の玄関システムによれば、玄関ドアに取り付けた電子錠が高電圧を印加されても破壊されず、不審者が家などに不正侵入することを防止できる。
【００２２】
上記構成の玄関ドアシステムは、電子錠システムを玄関ドアに後付けできるので、既存の玄関ドアを交換せずに、セキュリティレベルを向上させることができる。
【図面の簡単な説明】
【００２３】
【図１】本発明の第１実施形態に係り、コインロッカーの外観斜視図である。
【図２】電子キーの平面図である。
【図３】電子キーの電気回路構成を示す。
【図４】接触式ＩＣチップの電気ブロック図である。
【図５】電子錠の概略構成図である。
【図６】制御ユニットの電気ブロック図である。
【図７】電子錠の第１変形例を示す図である。
【図８】電子錠の第２変形例を示す図である。
【図９】電子錠システムを適用した玄関ドアシステムの概略構成図である。
【発明を実施するための形態】
【００２４】
以下に、本発明に係る電子錠システム、電子錠システムを用いたロッカー、及び、玄関ドアシステムの一実施形態について、図面を参照しながら説明する。
【００２５】
＜コインロッカーの全体構成＞
図１は、本発明の第１実施形態に係り、コインロッカー１の外観斜視図である。
本実施形態のコインロッカー１は、「ロッカー」の一例であって、不特定多数の者が自由に往き来する駅構内や、不特定多数の者が自由に出入り可能なスーパーの入口などに設置され、荷物を一時的に預かるものである。
【００２６】
コインロッカー１は、荷物を入れるための間口３が筐体２に多数設けられている。筐体２は、間口３毎に、開閉扉４が開閉可能に取り付けられている。使用者が荷物を預けた間口３の位置を覚えやすくするために、各開閉扉４の表面には、識別番号が記載されたネームプレート５が装着されている。各間口３の横には、コインを投入するためのコイン投入口１１がそれぞれ設けられている。
【００２７】
このようなコインロッカー１は、電子錠システムにより、各開閉扉４の施錠と解錠が電気的に制御される。電子錠システムは、電子キー１２と、電子錠６と、電子錠６の施錠と解錠を制御する制御ユニット１０（制御手段の一例）を備える。電子錠システムは、施錠を行う場合には、コイン投入口１１に所定金額のコインが投入されると、電子錠６の錠前７に差し込まれた電子キー１２に記憶されている「固有データ」を新しい「固有データ」に書き換えた後、電子キー１２を回転を許容し、開閉扉４を施錠できるようにする。一方電子錠システムは、解錠を行う場合には、錠前７の鍵穴に差し込まれた電子キー１２から「固有データ」を読み取って認証を行い、認証に成功した場合に、当該電子キー１２を回転を許容し、開閉扉４を解錠できるようにする。
【００２８】
電子錠６は、開閉扉４の各々に設けられている。電子錠６は、電子キー１２が差し込まれる錠前７を回転可能に保持している。錠前７には、筐体２に設けられた図示しない受穴に係合して開閉扉４の施錠を行うデッドボルト９が、一体的に取り付けられている。そのため、デッドボルト９は、鍵穴に差し込まれた電子キー１２を介して鍵穴７が手動で回転されると、開閉扉４から突出又は退避される。錠前７は、デッドボルト９を開閉扉４内に退避させて筐体２に設けられた図示しない受穴と係合しないようにする「解錠位置」と、デッドボルト９を開閉扉４から突出させて図示しない受穴に係合させる「施錠位置」との間で、回転される。錠前７は、「施錠位置」に配置されている場合にのみ、電子キー１２を鍵穴に抜き差しできるキー抜け止め構造を備える。
【００２９】
電子錠６には、錠前７の回転を阻止するソレノイド８が内蔵されている。ソレノイド８は、図示しない付勢手段（バネなど）により図示しないロックピンを錠前７側へ突出させて錠前７と係合させ、錠前７の回転を阻止するように構成されている。ソレノイド８は、通電されると、図示しない付勢手段の付勢力に抗して図示しないロックピンを錠前７から後退させ、錠前７との係合状態を解除する。よって、電子錠６は、ソレノイド８に通電されている間、「解錠位置」と「施錠位置」との間で錠前７を回転させることが可能である。ソレノイド８は、制御ユニット１０に接続され、錠前７のロック動作及びロック解除動作を制御される。
【００３０】
＜電子キーの概略構成＞
次に、電子キー１２について説明する。図２は、電子キー１２の平面図である。
電子キー１２は、キー本体１３から第１端子１４と第２端子１５が外部に突出し、錠前７（図１参照）の鍵穴に挿入されるようになっている。キー本体１３は、第１及び第２端子１４，１５の接触状態を利用者に知らせるためのＬＥＤ１６を備える。使用者がＬＥＤ１６の点滅状態を外部から視認できるように、ＬＥＤ１６は、キー本体１３から露出している。また、キー本体１３の側面には、間口３に対応する識別番号を記載するためのネームプレート１７が設けられ、当該電子キー１２がどの間口３のものかを使用者が分かりやすくしている。
【００３１】
図３は、電子キー１２の電気回路構成を示す図である。
電子キー１２のキー本体１３には、図３に示す電気回路構成を備える回路基板が内設されている。第１端子１４と第２端子１５の間には、接触式ＩＣチップ１８とＬＥＤ１６が並設されている。接触式ＩＣチップ１８は、コンピュータ機能を備える周知のものであって、第１及び第２端子１４，１５を備え、電子キー１２を識別するための「固有データ」を記憶している。第１端子１４とＬＥＤ１６との間には、抵抗２０が配置され、ＬＥＤ１６と第２端子１５との間には、ダイオード１９が配置されており、第２端子１５から第１端子１４に流れる電流によってＬＥＤ１６が点灯するようになっている。また、接触式ＩＣチップ１８と第２端子１５との間には、ダイオード２１と抵抗２２が並列に配置され、第１端子１４から第２端子１５に流れる電流によって接触式ＩＣチップ１８にデータを読み書きできるようになっている。
【００３２】
図４は、接触式ＩＣチップ１８の電気ブロック図である。
接触式ＩＣチップ１８は、ＣＰＵ２３と、ＲＡＭ２４と、ＲＯＭ２５と、ＥＥＰＲＯＭ２６を備える。ＲＯＭ２５には、電子キー１２を識別するための「電子キー固有識別情報」が記憶されている。本実施形態において、「電子キー固有識別情報」は、接触式ＩＣチップ１８の製造時に接触式ＩＣチップ１８に付与された製造番号を使用している。ＥＥＰＲＯＭ２６（固有データ記憶手段の一例）は、データを読み書きできる不揮発性の記憶手段である。ＥＥＰＲＯＭ２６には、「固有データ」を記憶するための固有データ記憶領域２７が設けられている。
【００３３】
＜電子錠の概略構成＞
次に、電子錠６の概略構成について説明する。図５は、電子錠６の概略構成図である。
電子錠６は、電子キー１２の第１及び第２端子１４，１５に接触する第１及び第２接触端子３１，３２と、第１及び第２接触端子３１，３２を介して電子キー１２にデータを読み書きするリードライト回路３７（データ読み取り手段の一例）と、リードライト回路３７に電力を供給する電池３８（電力供給手段の一例）と、第１及び第２接触端子３１，３２とリードライト回路３７とを通信可能に接続しており、第１及び第２接触端子３１，３２に仕様電圧を超える高電圧が印加された場合に、リードライト回路３７を第１及び第２接触端子３１，３２から絶縁する絶縁機能付き通信手段３０と、を有する。
【００３４】
絶縁機能付き通信手段３０は、第１及び第２接触端子３１，３２に接続される第１アンテナ部材３３と、リードライト回路３７に接続され、第１アンテナ部材３３と無線通信を行う第２アンテナ部材３５とを有し、第１アンテナ部材３３と第２アンテナ部材３５との間で発生する電磁誘導により、第１及び第２接触端子３１，３２とリードライト回路３７との間に電流を流すように構成されている。また、絶縁機能付き通信手段３０は、第２アンテナ部材３５の第２コイル３６上に第１コンデンサ３９と第２コンデンサ４０が配設されている。第１コンデンサ３９は、リードライト回路３７から第２アンテナ部材３５へ電気信号を出力する位置に配設されている。第２コンデンサ４０は、第２アンテナ部材３５からリードライト回路３７に電気信号を入力する位置に配設されている。
【００３５】
＜制御ユニットの概略構成＞
次に、制御ユニット１０について説明する。図６は、制御ユニット１０の電気ブロック図である。
制御ユニット１０は、周知のマイクロコンピュータであって、ＣＰＵ４１と、メモリ４２と、入出力インターフェース４３を備える。入出力インターフェース４３には、各電子錠６のソレノイド８とリードライト回路３７が接続される他、コイン投入検知手段４４と固有データ書換手段４６が接続されている。コイン投入検知手段４４は、所定の利用代金がコイン投入口１１に投入されたか否かを検知するものである。固有データ書換手段４６は、開閉扉４の施錠又は解錠を行う場合に、過去に使用されていない「ユニークデータ」を生成して、生成したユニークデータを、接触式ＩＣチップ１８の固有データ記憶領域２７に記憶されている「固有データ」（既存固有データ）と書き換え、新しい固有データ（新規固有データ）として記憶させるものである。
【００３６】
ここで、本実施形態では、固有データ書換手段４６を制御ユニット１０に設けているが、例えば、電子錠６に固有データ書換手段４６を設けても良い。また例えば、制御ユニット１０に「ユニークデータ」を生成するユニークデータ生成手段を設け、ユニークデータ生成手段が生成した「ユニークデータ」を「新規固有データ」として電子キー１２に記憶されている「既存固有データ」と書き換える書換手段を電子錠６に設け、ユニークデータ生成手段と書換手段により、「固有データ書換手段」を構成するようにしても良い。
【００３７】
メモリ４２には、「使用履歴データ」を記憶する使用履歴記憶領域４７と、「ユニークデータ」を記憶するユニークデータ記憶領域４８が設けられている。「使用履歴データ」とは、コインロッカー１の使用履歴（使用間口３、開閉扉４の施錠又は解錠された時間など）に関するデータをいう。よって、「使用履歴データ」を参照すれば、いつ、どの開閉扉４が開閉されたかを、検出できる。「ユニークデータ記憶手段」は、固有データ書換手段４６によって電子キー１２の接触式ＩＣチップ１８（固有データ記憶領域２７）に「新規固有データ」として書き込まれた「ユニークデータ」を電子キー１２の「電子キー固有識別情報」及び間口３の識別番号と関連付けて記憶し、過去に使用された「ユニークデータ」を管理するものである。
【００３８】
＜動作説明＞
コインロッカー１の動作について、＜電子錠６と電子キー１２との通信動作＞、＜使用状況確認動作＞、＜荷物の預け入れ動作＞、＜荷物の取り出し動作＞、＜絶縁動作＞に分けて、説明する。
【００３９】
＜電子錠と電子キーとの通信動作について＞
電子錠６は、電池３８からリードライト回路３７を介して第２アンテナ部材３５の第２コイル３６に電流を流し、磁界を発生させている。
【００４０】
第１及び第２接触端子３１，３２に電子キー１２の第１及び第２端子１４，１５が接触するように、電子キー１２が錠前７の鍵穴に差し込まれている場合には、第１アンテナ部材３３の第１コイル３４は、電子錠６の第１接触端子３１、電子キー１２の第１端子１４、接触式ＩＣチップ１８、第２端子１５、電子錠６の第２接触端子３２を介して導通し、第２コイル３６との間で発生する電磁誘導により、接触式ＩＣチップ１８に電流を流すことができる。これにより、リードライト回路３７は、接触式ＩＣチップ１８からデータを読み取ったり、接触式ＩＣチップ１８にデータを書き込んだりすることが可能である。
【００４１】
電子キー１２が錠前７の鍵穴から抜かれ、第１及び第２接触端子３１，３２に電子キー１２の第１及び第２端子１４，１５が接触しない場合には、第１アンテナ部材３３の第１コイル３４は、第１及び第２接触端子３１，３２の間で回路が遮断されている。そのため、第２コイル３６に磁界が発生しても、第１コイル３４に電流が流れず、リードライト回路３７は、データを読み取ることができない。
【００４２】
＜使用状況確認動作について＞
コインロッカー１の制御ユニット１０は、電子錠６のリードライト回路３７が接触式ＩＣチップ１８のデータを読み取っているか否かにより、間口３の使用状況を常時監視している。
具体的には、制御ユニット１０は、リードライト回路３７が電子キー１２の「電子キー固有識別情報」と「固有データ」を読み取っている間口３については、電子キー１２が錠前７に差し込まれたままで開閉扉４が解錠されており、使用されていないと判断する。
これに対して、制御ユニット１０は、リードライト回路３７が電子キー１２の「電子キー固有識別情報」と「固有データ」を読み取っていない間口３については、電子キー１２が錠前７から抜かれて開閉扉４が施錠されており、使用されていると判断する。
【００４３】
＜荷物の預け入れ動作について＞
使用者は、使用されていない間口３に荷物を入れて、コイン投入口１１にコインを投入する。制御ユニット１０は、コイン投入検知手段４４により所定の使用代金がコイン投入口１１に投入されたか否かを検知する。
【００４４】
コイン投入検知手段４４が所定の使用代金がコイン投入口１１に投入されたことを検知するまでは、制御ユニット１０は、コインが投入されたコイン投入口１１に対応するソレノイド８に通電しない。そのため、コイン投入口１１にコインが投入された間口３の電子錠６は、ソレノイド８が「解錠位置」に配置された錠前７をロックして錠前７の回転を阻止している。よって、使用者は、電子キー１２を介して錠前７を「解錠位置」から「施錠位置」へ回転させることができず、デッドボルト９が開閉扉４内に退避して開閉扉４を施錠しない。
【００４５】
一方、コイン投入検知手段４４が所定の使用代金がコイン投入口１１に投入されたことを検知すると、制御ユニット１０は、固有データ書換手段４６により「ユニークデータ」を生成する。そして、制御ユニット１０は、コイン投入口１１にコインが投入された間口３の錠前７に差し込まれた電子キー１２に、生成した「ユニークデータ」を「既存固有データ」と書き換え、「新規固有データ」として固有データ記憶領域２７に記憶する。
【００４６】
そして、制御ユニット１０は、コイン投入口１１にコインが投入された間口３に設けられた電子錠６のソレノイド８に通電する。ソレノイド８は、図示しない付勢手段に抗して図示しないロックピンを錠前７から後退させ、錠前７の回転を許容する。使用者が、荷物を入れた間口３の開閉扉４を閉めて電子キー１２を手動で回し、錠前７を「解錠位置」から「施錠位置」へ回転させると、デッドボルト９が開閉扉４から突出して筐体２の受穴に係合する。これにより、開閉扉４が施錠される。
【００４７】
使用者が、電子キー１２を鍵穴から抜くと、リードライト回路３７が電子キー１２から「電子キー固有識別情報」と「固有データ」を読み取れなくなる。これにより、制御ユニット１０は、当該間口３が使用済みになったと判断し、ソレノイド８への通電を停止する。すると、ソレノイド８は、図示しない付勢手段の付勢力により図示しないロックピンが突出して錠前７に係合し、「施錠位置」に配置された錠前７の回転を阻止する。
【００４８】
＜荷物の取り出し動作について＞
荷物を預けた使用者は、電子キー１２のネームプレート１７に記載されている識別番号を開閉扉４のネームプレート５に記載されている識別番号と照合し、識別番号の一致する開閉扉４の錠前７に電子キー１２を差し込む。制御ユニット１０は、リードライト回路３７が接触式ＩＣチップ１８の固有データ記憶領域２７から読み取った「固有データ」と、ＲＯＭ２５から読み取った「電子キー固有識別情報」と、電子キー１２が差し込まれた錠前７を備える間口３の識別番号を、ユニークデータ記憶領域４８に照合し、認証を行う。
【００４９】
「固有データ」と「電子キー識別情報」と「間口３の識別番号」がユニークデータ記憶領域４８に記憶されているデータと一致し、認証に成功した場合には、制御ユニット１０は、電子キー１２が差し込まれた電子錠６のソレノイド８に通電する。これにより、ソレノイド８は、図示しない付勢手段に抗して図示しないロックピンを錠前７から後退させ、錠前７の回転を許容する。使用者が、電子キー１２を介して錠前７を「施錠位置」から「解錠位置」へ手動で回転させると、デッドボルト９は、開閉扉４内へ退避し、筐体２の図示しない受穴との係合状態を解除する。これにより、開閉扉４が解錠され、使用者は、開閉扉４を開いて荷物を取り出すことができる。
【００５０】
尚、例えば、使用者が、例えば、識別番号２が付された電子キー１２を、識別番号８が付された開閉扉４の錠前７に誤って差し込んだ場合には、当該電子キー１２からリードライト回路３７が読み取った「固有データ」、「電子キー固有識別情報」、「間口３の識別番号」がユニークデータ記憶領域４８に記憶されているデータと一致しない。この場合、制御ユニット１０は、認証に失敗したと判断し、電子キー１２が差し込まれた錠前７のソレノイド８に通電しない。そのため、使用者は、識別番号８の開閉扉４を無権限で開くことができない。
【００５１】
＜絶縁動作について＞
ところで、不特定多数の者が通る駅構内やスーパーの入口などでは、コインロッカー１に何時でも誰でもアクセスすることができる。例えば、不審者が、鍵のかかっている開閉扉４の錠前７に高電圧を発生する装置を挿入して電子錠６に高電圧を印加し、開閉扉４内の荷物を盗もうとすることが考えられる。
【００５２】
本実施形態のコインロッカー１は、第１及び第２接触端子３１，３２に高電圧を発生する高電圧発生装置を接触させ、高電圧を印加された場合、第１アンテナ部材３３には高電圧が印加される。しかし、絶縁機能付き通信手段３０は、第１アンテナ部材３３と第２アンテナ部材３５の電磁誘導により第１コイル３４と第２コイル３６に電流が流れ、リードライト回路３７が電子キー１２のデータを読み取ることができるようにしている。そのため、第１アンテナ部材３３に高電圧が印加されても、リードライト回路３７は、第２アンテナ部材３５を介して高電圧を印加されず、破壊されない。
【００５３】
しかも、第２アンテナ部材３５の第２コイル３６とリードライト回路３７に流れる電流は、第１及び第２コンデンサ３９，４０により所定量以下に調整されている。そのため、リードライト回路３７は、過電流・過電圧が供給されず、破壊されない。
尚、第１及び第２コンデンサ３９，４０を第２コイル３６がリードライト回路３７に接続する箇所にそれぞれ配置されている。そのため、不審者が、高電圧発生装置を第１及び第２接触端子３１，３２に接触させる位置を変え、第１アンテナ部材３３の第１コイル３４に流れる電流の向きが変えたとしても、リードライト回路３７は、過電流・過電圧を印加されず、破壊されない。
【００５４】
＜作用効果＞
以上説明したように、本実施形態の電子錠システムは、例えば、第１及び第２接触端子３１，３２に高電圧発生装置などの工具を接触させて仕様電圧を超える高電圧が第１及び第２接触端子３１，３２に印加された場合、絶縁機能付き通信手段３０がリードライト回路３７を絶縁する。そのため、リードライト回路３７は、第１及び第２接触端子３１，３２に高電圧が印加されても、高電圧を印加されず、破壊されない。よって、本実施形態の電気錠システムによれば、電子錠６が高電圧を印加されても破壊されず、セキュリティレベルが高い。
【００５５】
また、本実施形態の電子錠システムは、少なくとも施錠又は解錠を行う場合に、過去に使用されていない「ユニークデータ」を生成し、その生成した「ユニークデータ」を、接触式ＩＣチップ１８に記憶されている「既存固有データ」と書き換え、「新規固有データ」として接触式ＩＣチップ１８に記憶させる。そのため、電子キー１２は、施錠又は解錠する度に異なる「固有データ」が接触式ＩＣチップ１８に記憶される。よって、本実施形態の電子錠システムによれば、「固有データ」をコピーして電子キー１２の合い鍵が作られたとしても、その合い鍵を用いて電子錠６を解錠又は施錠することができないので、電子錠システムが適用されるコインロッカー１等のセキュリティ機能を高めることができる。
【００５６】
また、本実施形態の電子錠システムは、例えば、第１及び第２接触端子３１，３２に高電圧発生装置などの工具を接触させて仕様電圧を超える高電圧が第１及び第２接触端子３１，３２に印加された場合、第１アンテナ部材３３に電流が流れるだけで、第２アンテナ部材３５に電流が殆ど流れない。よって、リードライト回路３７は、第１及び第２接触端子３１，３２に高電圧が印加されても高電流が流れず、電気的に破壊されない。
【００５７】
また、本実施形態の電子錠システムは、例えば、第１及び第２接触端子３１，３２に高電圧発生装置などの工具を接触させて仕様電圧を超える高電圧が第１及び第２接触端子３１，３２に印加された場合、第１コンデンサ３９と第２コンデンサ４０に電荷が蓄えられ、リードライト回路３７に高電圧が印加されない。よって、リードライト回路３７は、第１及び第２接触端子３１，３２に高電圧が印加されても高電圧が印加されず、電気的に破壊されない。
【００５８】
特に、本実施形態の電子錠システムは、第１及び第２アンテナ部材３３，３５と第１及び第２コンデンサ３９，４０により絶縁機能付き通信手段３０を設けているので、リードライト回路３７に高電圧が印加されることを確実に防止できる。
【００５９】
本実施形態のコインロッカー１は、不特定多数の者が自由に出入りする場所（駅構内やスーパーの入口など）に設置され、電子錠６がいたずらをされる蓋然性が高い。しかし、コインロッカー１は、例えば、第１及び第２接触端子３１，３２に工具を接触させて仕様電圧を超える高電圧が第１及び第２接触端子３１，３２に印加された場合、絶縁機能付き通信手段３０がリードライト回路３７を絶縁する。そのため、リードライト回路３７は、第１及び第２接触端子３１，３２に高電圧が印加されても、高電圧を印加されず、破壊されない。よって、本実施形態のコインロッカー１によれば、電子錠６が高電圧を印加されても破壊されず、荷物を保管するセキュリティレベルが高い。
【００６０】
尚、本発明は、上記実施形態に限定されることなく、色々な応用が可能である。
（１）例えば、上記実施形態では、第１及び第２アンテナ部材３３，３５と第１及び第２コンデンサ３９，４０により絶縁機能付き通信手段３０を構成した。
【００６１】
これに対して、例えば図７に示す電子錠６Ａのように、第１接触端子３１とリードライト回路３７を接続して、リードライト回路３７から電気信号を出力する第１配線５１上に第１コンデンサ５３を配設し、第２接触端子３２とリードライト回路３７を接続して、リードライト回路３７に電気信号を入力する第２配線５２上に第２コンデンサ５４を配設することにより、絶縁機能付き通信手段３０Ａを構成しても良い。このような絶縁機能付き通信手段３０Ａを備える電子錠システムによれば、例えば、第１及び第２接触端子３１，３２に工具を接触させて仕様電圧を超える高電圧が第１及び第２接触端子３１，３２に印加された場合、第１コンデンサ５３と第２コンデンサ５４に電荷が蓄えられ、リードライト回路３７に高電圧が印加されない。よって、リードライト回路３７は、第１及び第２接触端子３１，３２に高電圧が印加されても高電圧が印加されず、電気的に破壊されない。
【００６２】
また例えば、図８に示す電子錠６Ｂのように、第１及び第２接触端子３１，３２に接続される第１アンテナ部材３３と、リードライト回路３７に接続され、第１アンテナ部材３３と無線通信を行う第２アンテナ部材３５を有し、第１アンテナ部材３３と第２アンテナ部材３５との間で発生する電磁誘導により第１及び第２接触端子３１，３２とリードライト回路３７との間に電流をを流す絶縁機能付き通信手段３０Ｂを、電子錠システムに設けてもよい。このような電子錠システムは、例えば、第１及び第２接触端子３１，３２に工具を接触させて仕様電圧を超える高電圧が第１及び第２接触端子３１，３２に印加された場合、第１アンテナ部材３３，３５に電流が流れるだけで、第２アンテナ部材３５に電流が殆ど流れない。よって、リードライト回路３７は、第１及び第２接触端子３１，３２に高電圧が印加されても高電流が流れず、電気的に破壊されない。
【００６３】
（２）例えば、上記実施形態では、電子錠システムをコインロッカー１に適用した。これに対して、電子錠システムは、電子キー１２により電子錠６を施錠又は解錠するものであれば、机の引き出し、薬品等の保管庫、図９に示す玄関ドアシステムなどに適用することが可能である。
【００６４】
例えば、図９に示す玄関ドアシステムは、間口枠６１に玄関ドア６２が開閉自在に取り付けられている。玄関ドア６２は、取手６３に電子錠６Ｃが取り付けられ、電子キー１２により施錠又は解錠されるようになっている。電子錠６Ｃは、上記実施形態で説明した制御ユニット１０と同様の機能を有する制御手段を内蔵している点を除き、上記実施形態の電子錠６と同じ構成を備える。また、このような玄関ドアシステムは、例えば、家などに不正侵入しようとする不審者が、電子錠６Ｃの錠前７に内設された第１及び第２接触端子３１，３２に工具を接触させて仕様電圧を超える高電圧が第１及び第２接触端子３１，３２に印加された場合、絶縁機能付き通信手段３０がリードライト回路３７を絶縁する。そのため、リードライト回路３７は、第１及び第２接触端子３１，３２に高電圧が印加されても、高電圧を印加されず、破壊されない。よって、図９に示す玄関システムによれば、玄関ドア６２に取り付けた電子錠６Ｃが高電圧を印加されても破壊されず、不審者が家などに不正侵入することを防止できる。
尚、図９に示す玄関ドアシステムは、電子錠６を既設の玄関ドア６２にネジ等で固定することにより、電子錠システムが後付けされる。これにより、玄関は、既存の玄関ドア６２を交換せずに、セキュリティレベルが引き上げられる。
【００６５】
（３）上記実施形態では、コインロッカー１に電子錠システムを適用したが、自動課金されないロッカーに電子錠システムを適用しても良い。
（４）上記実施形態では、複数の電子錠６を１個の制御ユニット１０に接続して電子錠システムを構成したが、制御ユニット１０と同様の機能を持つ制御手段を電子錠６にそれぞれ内設しても良い。
（５）上記実施形態では、データを読み書きできるリードライト回路３７を電子錠６に設けたが、電子錠６には、データを書き込むライト回路と、データを読み取るリード回路を別個に設けても良い。
（６）コインロッカー１の間口３毎に使用状況表示ランプを設け、各使用状況表示ランプを制御ユニット１０に接続してもよい。この場合、例えば、制御ユニット１０は、使用されている間口３の使用状況表示ランプを点灯させ、使用されていない間口３の使用状況表示ランプを消灯させることにより、空いている間口３を使用者に通知する。
（７）上記実施形態では、電池３８がリードライト回路３７に電力を供給しているが、商用電源からリードライト回路３７に電力を供給するようにしても良い。この場合、商用電源が電力供給手段の一例になる。
（８）上記実施形態では、電子錠６、錠前７、ソレノイド８、デットボルト９を開閉扉４に配置したが、コイン投入口１１がある筐体２側に配置しても良い。また、ソレノイド８の代わりにモータを用いても良い。
【符号の説明】
【００６６】
１  コインロッカー（ロッカーの一例）
３  間口
４  開閉扉
６，６Ａ，６Ｂ，６Ｃ  電子錠
１０  制御ユニット（制御手段の一例）
１２  電子キー
１４，１５  第１及び第２端子（２つの端子の一例）
１８  接触式ＩＣチップ
３０，３０Ａ，３０Ｂ  絶縁機能付き通信手段
３１，３２  第１及び第２接触端子（２つの接触端子の一例）
３７  リードライト回路（データ読み取り手段の一例）
３８  電池（電力供給手段の一例）
３３，３５  第１及び第２アンテナ部材
３９，５３  第１コンデンサ
４０，５４  第２コンデンサ
４６  固有データ書換手段
５１  第１配線
５２  第２配線
６１  間口枠
６２  玄関ドア
【図１】
2013238051.tif 000003
【図２】
2013238051.tif 000004
【図３】
2013238051.tif 000005
【図４】
2013238051.tif 000006
【図５】
2013238051.tif 000007
【図６】
2013238051.tif 000008
【図７】
2013238051.tif 000009
【図８】
2013238051.tif 000010
【図９】
2013238051.tif 000011